(57)【要約】【課題】ステープルの抜針処理の効率及び安全性を向上させた外科用ステープルリムーバを提供する。【解決手段】ステープルリムーバ１は、皮膚を縫合したステープルの冠部の下側に入り込んでステープルを支持する針受けガイド３と、針受けガイド３で支持したステープルの冠部を押圧してステープルを変形させ、皮膚から抜き取ると押圧部９ａと、皮膚から抜き取ったステープルを針受けガイド３をガイドとして引き込む引き込み部９ｂとを有する針押し金具９が取り付けられた押圧レバー８を備えた押圧スライダ４と、押圧スライダ４で引き込まれたステープルを収納する収納部５を有する本体部２とを備え、ステープルの抜針と回収を、押圧レバーによる一連の動作で行えるようにする。【選択図】        図１
2006158503.tif 000002
【特許請求の範囲】
【請求項１】
皮膚を縫合したステープルを抜き取る外科用ステープルリムーバにおいて、
皮膚を縫合したステープルの冠部の下側に入り込んで前記ステープルを支持する針受けガイドと、
前記針受けガイドで支持した前記ステープルの冠部を押圧して前記ステープルを変形させ、皮膚から抜き取ると共に、皮膚から抜き取った前記ステープルを前記針受けガイドをガイドとして引き込む押圧スライダと、
前記押圧スライダで引き込まれた前記ステープルを収納する収納部を有する本体部とを備えた
ことを特徴とする外科用ステープルリムーバ。
【請求項２】
前記押圧スライダは、前記針受けガイドで支持した前記ステープルの冠部を押圧する押圧部と、前記押圧部で押圧されて皮膚から抜き取った前記ステープルを、前記針受けガイドをガイドとして引き込む引き込み部を備え、
前記押圧スライダを押す動作で前記押圧部が前記ステープルの冠部を押圧して、前記ステープルを変形させて皮膚から抜き取ると共に、前記押圧スライダを押す動作から連続した前記押圧スライダを引く動作で、前記引き込み部が前記ステープルの変形した冠部に当接して、前記ステープルを前記収納部に引き込む
ことを特徴とする請求項１記載の外科用ステープルリムーバ。
【請求項３】
前記収納部は、収納した前記ステープルの落下を防止する逆止部を備えた
ことを特徴とする請求項１または２記載の外科用ステープルリムーバ。
【発明の詳細な説明】
【技術分野】
【０００１】
本発明は、皮膚を縫合したステープルを抜き取る外科用ステープルリムーバに関する。詳しくは、抜針したステープルを回収する収納部を備えると共に、ステープルの抜針と、抜針したステープルの回収を一連の動作で行えるようにすることで、抜針処理の効率及び安全性を向上させたものである。
【背景技術】
【０００２】
外科手術においては、切開した皮膚等の縫合にステープル（針）が用いられている。この皮膚を縫合したステープルを抜針するため、従来より外科用のステープルリムーバが提案されている（例えば、特許文献１参照）。
【０００３】
従来の外科用ステープルリムーバは、ステープルの冠部の中央部を押圧することでステープルを変形させて皮膚から抜き取る構成であり、鋏を扱う要領で抜針が行えるようになっている。
【０００４】
【特許文献１】特公昭６２−４４９３５号公報
【発明の開示】
【発明が解決しようとする課題】
【０００５】
しかし、従来の外科用ステープルリムーバは、ステープルを抜針する毎に、抜針したステープルをトレイ等に置く必要があり、抜針処理の効率が悪いという問題がある。例えば、開腹手術や開胸手術に関しては、３０〜６０本程度のステープルを抜針する必要があるが、多数のステープルを抜針し、かつ１本ずつトレイに置くという作業では、作業に時間がかかるという問題がある。
【０００６】
また、抜針したステープルをステープルリムーバで保持し、トレイに移動する間に、ステープルが床面等に落下する可能性や、抜針したステープルに手が触れる可能性があり、安全性が低いという問題がある。
【０００７】
本発明は、このような課題を解決するためになされたもので、ステープルの抜針処理の効率及び安全性を向上させた外科用ステープルリムーバを提供することを目的とする。
【課題を解決するための手段】
【０００８】
上述した課題を解決するため、請求項１の発明は、皮膚を縫合したステープルを抜き取る外科用ステープルリムーバにおいて、皮膚を縫合したステープルの冠部の下側に入り込んでステープルを支持する針受けガイドと、針受けガイドで支持したステープルの冠部を押圧してステープルを変形させ、皮膚から抜き取ると共に、皮膚から抜き取ったステープルを針受けガイドをガイドとして引き込む押圧スライダと、押圧スライダで引き込まれたステープルを収納する収納部を有する本体部とを備えたことを特徴とする。
【０００９】
請求項２の発明は、請求項１に記載した発明において、押圧スライダは、針受けガイドで支持したステープルの冠部を押圧する押圧部と、押圧部で押圧されて皮膚から抜き取ったステープルを、針受けガイドをガイドとして引き込む引き込み部を備え、押圧スライダを押す動作で押圧部がステープルの冠部を押圧して、ステープルを変形させて皮膚から抜き取ると共に、押圧スライダを押す動作から連続した押圧スライダを引く動作で、引き込み部がステープルの変形した冠部に当接して、ステープルを収納部に引き込むことを特徴とする。
【００１０】
請求項３の発明は、請求項１または２に記載した発明において、収納部は、収納したステープルの落下を防止する逆止部を備えたことを特徴とする。
【発明の効果】
【００１１】
本発明に係る外科用ステープルリムーバによれば、皮膚を縫合したステープルの抜針と、抜針したステープルの回収が一連の動作で行われるので、ステープルの抜針処理の効率が向上し、作業のスピードアップを図ることができる。
【００１２】
また、皮膚から抜針したステープルは、本体部に設けた収納部に回収されるので、抜針したステープルが床面等に落下することがなく、更に、抜針して回収したステープルに手が触れられることはなく、ステープルの抜針処理の安全性が向上し、感染等の危険性を排除することができる。
【発明を実施するための最良の形態】
【００１３】
以下、図面を参照して本発明の外科用ステープルリムーバの実施の形態について説明する。
【００１４】
＜外科用ステープルリムーバの構成例＞
図１は本実施の形態の外科用ステープルリムーバ１の一例を示す構成図で、図１（ａ）は外観斜視図、図１（ｂ）は側断面図である。なお、以下の説明では外科用ステープルリムーバをステープルリムーバと称して説明する。
【００１５】
また、図２はステープルによる皮膚の縫合状態を示す説明図である。まず、図２を参照してステープルリムーバ１により抜針処理されるステープル２１について説明すると、ステープル２１は、２本の脚部２１ａと脚部２１ａの間を繋ぐ冠部（クラウン部）２１ｂを備え、脚部２１ａが内側に向けてＬ字型に折り曲げられて、皮膚２２を縫合している。
【００１６】
次に、図１を参照して本実施の形態のステープルリムーバ１の構成について説明する。
【００１７】
本実施の形態のステープルリムーバ１は、本体部２と、本体部２の先端側に取り付けられた針受けガイド３と、針受けガイド３との協働でステープル２１を抜針して回収する押圧スライダ４を備える。
【００１８】
本体部２は、図１（ｂ）に示すように内部に空間が形成され、この空間で収納部５が構成される。また、本体部２は先端側に取込開口部６が形成され、収納部５は取込開口部６とつながっている。
【００１９】
更に、取込開口部６の例えば底面に突起６ａを形成して逆止部が備えられ、後述するように収納部５に回収したステープル２１が取込開口部６から外部へ落下しないように構成される。
【００２０】
ここで、ステープルリムーバ１は、一回の使用で使い切るタイプであれば、収納部５に回収したステープル２１を排出する構成は必要ではない。これに対して、収納部５をカートリッジ式にして、着脱可能な構成としても良い。
【００２１】
針受けガイド３は、金属で構成されたＵ字形状の部材で、２本のガイド支持部３ａを備える。２本のガイド支持部３ａの間隔は、ステープル２１の脚部２１ａの間隔より若干狭く構成され、針受けガイド３は、ステープル２１の脚部２１ａの間に入り込めるように構成される。針受けガイド３は、２本のガイド支持部３ａの後端側が本体部２の取込開口部６に取り付けられ、針受けガイド３と収納部５が取込開口部６を介して繋がっている。
【００２２】
押圧スライダ４は、スライダ本体７と押圧レバー８と針押し金具９を備える。スライダ本体７は、針受けガイド３のガイド支持部３ａに沿った方向にスライド移動できるように、本体部２に形成された案内部１０にバネ１１を介して取り付けられる。
【００２３】
押圧レバー８は、本例ではスライダ本体７と一体に構成され、押圧レバー８の一端側がスライダ本体７と連結される。押圧レバー８は、スライダ本体７との連結部位が支点部８ａとなり、支点部８ａから針受けガイド３に沿って斜め上方に延在し、自由端となる他端側にハンドル部８ｂが形成される。
【００２４】
スライダ本体７と押圧レバー８は例えば樹脂で構成されて押圧レバー８はバネ性を有し、ハンドル部８ｂが上方から押されると、支点部８ａを支点とするような形態で弾性変形可能な構成となっている。
【００２５】
ハンドル部８ｂは、針受けガイド３と対向する下面側に針押し金具９が取り付けられる。針押し金具９は金属の部材で構成され、ハンドル部８ｂの下面から突出し、針受けガイド３と対向する下端に押圧部９ａが形成されると共に、押圧部９ａの形成部位の前側が更に下方に突出し、この突出した部位の後面に引き込み部９ｂが形成される。
【００２６】
バネ１１は、押圧スライダ４を前方へ付勢しており、初期状態では、押圧スライダ４に備えた針押し金具９の押圧部９ａが、本体部２に備えた針受けガイド３のガイド支持部３ａの先端側と対向する。また、押圧レバー８の形状によって、針押し金具９の押圧部９ａと針受けガイド３のガイド支持部３ａとの間には所定の隙間が開いている。
【００２７】
＜ステープルリムーバの動作例＞
図３及び図４はステープルリムーバ１による抜針処理の流れを示す説明図、図５は抜針処理に伴うステープル２１の形状の変化を示す説明図で、以下に、各図を参照してステープルリムーバ１を利用したステープル２１の抜針処理の動作について説明する。
【００２８】
まず、図３（ａ）に示すように、抜針するステープル２１の冠部２１ｂと皮膚２２との間に、ステープルリムーバ１の針受けガイド３を差し込み、針受けガイド３の２本のガイド支持部３ａでステープル２１の冠部２１ｂの両端側を支持して、押圧レバー８の針押し金具９をステープル２１と対向させる。
【００２９】
次に、図３（ｂ）に示すように、押圧レバー８のハンドル部８ｂを押す。ハンドル部８ｂが上方から押されると、押圧スライダ４は押圧レバー８が図１（ｂ）に示す支点部８ａを支点とするような形態で弾性変形し、図５（ａ）に示すように、ハンドル部８ｂの下面に取り付けられた針受け金具９の押圧部９ａが、針受けガイド３のガイド支持部３ａで支持されているステープル２１の冠部２１ｂの中央部に当接する。
【００３０】
更にハンドル部８ｂが押されると、針押し金具９の押圧部９ａが、ステープル２１の冠部２１ｂの中央部を矢印Ａ方向に押圧する。これにより、ステープル２１は、針受けガイド３の２本のガイド支持部３ａによる支持箇所を支点に矢印Ｂ方向に開き、図５（ｂ）に示すように、針押し金具９が２本のガイド支持部３ａの間に入り込んで、針押し金具９の押圧部９ａによる押圧箇所と、２本のガイド支持部３ａによる支持箇所を支点にステープル２１は略Ｍ字形状に変形して、皮膚２２から抜ける。
【００３１】
ステープル２１が皮膚２２から抜けると、図４（ａ）に示すように、ハンドル部８ｂを押圧したまま、ハンドル部８ｂを手前に引く。ハンドル部８ｂが手前に引かれると、押圧スライダ４は、スライダ本体７が本体部２の図１（ｂ）に示す案内部１０をガイドとしてバネ１１に抗して矢印Ｃ方向に移動する。
【００３２】
押圧スライダ４が矢印Ｃ方向に移動すると、針押し金具９の引き込み部９ｂがステープル２１の変形した冠部２１ｂに当接し、押圧スライダ４の矢印Ｃ方向への移動に伴って、図４（ｂ）に示すように、ステープル２１は針受けガイド３のガイド支持部３ａをガイドとして本体部２方向へ引き寄せられる。
【００３３】
そして、ハンドル部８ｂが所定の位置まで手前に引かれると、ステープル２１は本体部２の取込開口部６から本体部２内に入る。図６はステープルを引き込んだ状態を示すステープルリムーバ１の側断面図で、ハンドル部８ｂが手前に引かれて、ステープル２１が針受けガイド３のガイド支持部３ａから外れる位置まで引き込まれると、矢印Ｄで示すように、収納部５に回収される。
【００３４】
ここで、収納部５に回収された使用済みのステープル２１は、本体部２の取込開口部６に突起６ａが備えられることで、取込開口部６からの外部への落下が防止される。
【００３５】
そして、ハンドル部８ｂを元の位置に戻すと、次のステープル２１の抜針処理が行える。なお、押圧スライダ４は、押圧レバー８がバネ性を有することで、ハンドル部８ｂに対する押圧力を緩めると、針押し金具９が針受けガイド３から離れる初期形状に復帰する。また、押圧スライダ４は、バネ１１の力で、針押し金具９の押圧部９ａが針受けガイド３のガイド支持部３ａの先端側と対向する初期位置に復帰する。
【００３６】
以上のように、ステープルリムーバ１を利用することで、皮膚２２を縫合したステープル２１を抜針し、収納部５に回収する動作を、ステープル２１に手を触れることなく行える。また、回収したステープル２１は収納部５に収納されるため、回収したステープル２１に手を触れることもない。これにより、ステープル２１の抜針処理の安全性が向上し、感染等の危険性を排除することができる。
【００３７】
また、皮膚２２を縫合したステープル２１の抜き取りと、抜き取ったステープル２１の回収が、ハンドル部８ｂの操作により一連の動作で行えるので、ステープル２１の抜針と回収でステープルリムーバ１を持ち替えたり、抜針したステープル２１を１個ずつトレイに置く等の処理を行う必要がなく、ステープルの抜針処理の効率が向上し、作業のスピードアップを図ることができる。
【産業上の利用可能性】
【００３８】
本発明は、外科手術等で切開した皮膚を縫合するステープルを抜針するステープルリムーバに適用される。
【図面の簡単な説明】
【００３９】
【図１】本実施の形態の外科用ステープルリムーバの一例を示す構成図である。
【図２】ステープルによる皮膚の縫合状態を示す説明図である。
【図３】ステープルリムーバによる抜針処理の流れを示す説明図である。
【図４】ステープルリムーバによる抜針処理の流れを示す説明図である。
【図５】抜針動作に伴うステープルの形状の変化を示す説明図である。
【図６】ステープルを引き込んだ状態を示すステープルリムーバの側断面図である。
【符号の説明】
【００４０】
１・・・外科用ステープルリムーバ、２・・・本体部、３・・・針受けガイド、３ａ・・・ガイド支持部、４・・・押圧スライダ、５・・・収納部、６・・・取込開口部、６ａ・・・突起、７・・・スライダ本体、８・・・押圧レバー、８ａ・・・支点部、８ｂ・・・ハンドル部、９・・・針押し金具、９ａ・・・押圧部、９ｂ・・・引き込み部、１０・・・案内部、１１・・・バネ、２１・・・ステープル、２１ａ・・・脚部、２１ｂ・・・冠部、２２・・・皮膚
【図１】
2006158503.tif 000003
【図２】
2006158503.tif 000004
【図３】
2006158503.tif 000005
【図４】
2006158503.tif 000006
【図５】
2006158503.tif 000007
【図６】
2006158503.tif 000008